(57)【要約】【課題】カム枠５０に設けられた被駆動ギア部５２と案内溝５１とを重ねて配置したレンズ鏡筒１００において、光軸方向の大きさを小さくすることを目的とする。【解決手段】レンズ鏡筒１００は、固定枠３０と、カム枠５０（移動枠の一例）と、固定枠３０に対してカム枠５０を回転駆動させる駆動機構７０と、を備える。固定枠３０は、カム枠５０を回転軸方向に案内する、複数の案内突起３１を有する。駆動機構７０は、複数の駆動ギア７２を有する。カム枠５０は、被駆動ギア部５２と、案内溝５１と、を有する。使用状態において、複数の駆動ギア７２の内少なくとも１つの駆動ギア７２は、被駆動ギア部５２と噛み合うように構成されている。【選択図】図４
2015018004.tif 000002
【特許請求の範囲】
【請求項１】
略円筒状の固定枠と、
前記固定枠の内周に配置された略円筒状の移動枠と、
前記固定枠に対して前記移動枠を回転駆動させる駆動機構と、を備え、
前記固定枠は、内周面に前記移動枠の回転に従い、前記移動枠を回転軸方向に案内する、複数の案内突起を有し、
前記駆動機構は、複数の駆動ギアを有し、
前記移動枠は、外周に、前記複数の駆動ギアと噛み合う被駆動ギア部と、前記案内突起とは噛み合うが前記複数の駆動ギアとは噛み合わない案内溝と、を有し、
前記被駆動ギア部は、前記案内溝部を設けられた欠歯部を含み、
使用状態において、前記複数の駆動ギアの内少なくとも１つの駆動ギアは、前記被駆動ギア部と噛み合うように構成されている、
レンズ鏡筒。
【発明の詳細な説明】
【技術分野】
【０００１】
ここに開示された技術は、撮像装置に用いられるレンズ鏡筒に関する。
【背景技術】
【０００２】
従来、撮像装置に用いられる沈胴式のレンズ鏡筒は、駆動機構によりカム枠が回転駆動される。駆動機構は駆動ギアを有し、カム枠は駆動ギアと係合される被駆動ギア部を有している。カム枠が回転駆動されることにより、カム枠とカム機構により係合された移動枠が光軸方向に進退する。また、カム枠は固定枠に保持されている。固定枠は案内突起を有し、カム枠は案内突起と係合される案内溝を有する。カム枠が回転駆動されることで、カム枠は固定枠に対して光軸方向に進退する（例えば、特許文献１参照）。
【先行技術文献】
【特許文献】
【０００３】
【特許文献１】特開２００４−２５７５５５号公報
【特許文献２】特開２００６−１５４６７４号公報
【特許文献３】特開平１１−１８３７７１号公報
【発明の概要】
【発明が解決しようとする課題】
【０００４】
しかしながら、このようなレンズ鏡筒において、カム枠に設けられた被駆動ギア部と案内溝とを重ねて配置する場合、駆動ギアが案内溝で空回りしないように、駆動ギアと被駆動ギア部の光軸方向の長さを長くする必要があった。そのため、レンズ鏡筒が光軸方向において大きくなってしまった。
【０００５】
そこで、ここに開示された技術は、カム枠に設けられた被駆動ギア部と案内溝とを重ねて配置したレンズ鏡筒において、光軸方向の大きさを小さくすることを目的とする。
【課題を解決するための手段】
【０００６】
上記目的を達成するために、ここに開示された技術におけるレンズ鏡筒は、円筒状の移動枠と、移動枠の内周または外周に配置された円筒状のカム枠と、を備える。移動枠は、移動枠の内周面または外周面から、移動枠の半径方向に突出した第１カムフォロワと、第１カムフォロワから、さらに移動枠の半径方向に突出した第２カムフォロワと、を有する。カム枠は、カム枠の外周面または内周面に、第１カムフォロワと係合される第１カムと、第２カムフォロワと係合される第２カムと、を有する。第２カムの曲率中心は、第１カムの曲率中心より像面側に設けられる。
【発明の効果】
【０００７】
上記の構成によれば、カム枠に設けられた被駆動ギア部と案内溝とを重ねて配置したレンズ鏡筒において、光軸方向の大きさを小さくすることができる。
【図面の簡単な説明】
【０００８】
【図１】実施の形態１にかかるレンズ鏡筒の分解斜視図
【図２】実施の形態１にかかる固定枠の内周面の展開図
【図３】実施の形態１にかかるカム枠の外周面の展開図
【図４】実施の形態１にかかるカム枠と駆動ギアの係合関係を示す図
【図５】実施の形態１にかかるカムとカムフォロワを示す図
【図６】実施の形態１にかかるカムとカムフォロワとの係合関係を示す図
【図７】比較例にかかるカムとカムフォロワを示す図
【図８】比較例にかかるカムとカムフォロワとの係合関係を示す図
【図９】実施の形態２にかかるカムとカムフォロワを示す図
【図１０】実施の形態３にかかるカムとカムフォロワを示す図
【図１１】実施の形態４にかかるカムとカムフォロワを示す図
【発明を実施するための形態】
【０００９】
（実施の形態１）
［１．レンズ鏡筒の構成］
図１は、実施の形態１にかかるレンズ鏡筒１００の分解斜視図である。１群枠１０レンズ鏡筒１００は、デジタルスチルカメラ等のカメラ機能を有する装置に搭載される。レンズ鏡筒１００は、その内部にズームレンズやフォーカスレンズなどの各種レンズを有する光学系を備える。１群枠１０レンズ鏡筒１００の光学系は、入射する光を撮像素子上に結像させる。撮像素子は、入射する光を電気信号に変換する撮。なお、実施の形態１にかかるレンズ鏡筒１００は、ここに開示された技術の一例であり、デジタルスチルカメラに限らず、ビデオカメラなどにも搭載が可能である。
【００１０】
１群枠１０レンズ鏡筒１００は、１群枠１０、２群枠２０、固定枠３０、駆動機構７０、直進枠４０、カム枠５０、及びマスターフランジ６０が、互いに同軸位置に配置されている（以下この軸方向を光軸方向と称する）。固定枠３０は、内部に直進枠４０およびカム枠５０を保持している。直進枠４０は、内部に１群枠１０を直進自在に保持している。１群枠１０は、内部のカム枠５０をカム機構により係合している。１群枠１０は、内部に２群枠２０を保持している。このようにして１群枠１０レンズ鏡筒１００の光学系が構成される。そして、固定枠３０が撮像素子を備えたマスターフランジ６０に固定される。
【００１１】
１群枠１０は、最も被写体側に配置されるレンズを保持する円筒状の枠体である。１群枠１０は、直進枠４０に対し光軸方向に進退する。１群枠１０は、外径方向に突出した直進突起を有する。直進突起が直進枠４０の内周面に設けられた直進溝に係合されることにより、１群枠１０は、直進枠４０に対して相対回転しないように直進枠４０に保持されている。１群枠１０は、内周面に３つのカムフォロワ１１（図５等参照）が設けられている。カムフォロワ１１がカム枠５０の外周面に設けられたカム５３と係合している。
【００１２】
２群枠２０は、内部にレンズを保持している。２群枠２０は、１群枠１０内に保持されている。詳しい説明は省略するが、２群枠２０も、１群枠１０と同様の機構により光軸方向に進退する。
【００１３】
固定枠３０は、直進枠４０を直進自在に保持している。固定枠３０の内周面には、直進溝が設けられており、直進溝が直進枠４０の外周面に設けられた直進突起と係合されることにより、直進枠４０が固定枠３０に対して直進できる。また、固定枠３０は、カム枠５０を回転可能に保持している。固定枠３０の内周面には、らせん状の案内突起３１が設けられている。案内突起３１がカム枠５０の外周面に設けられた案内溝５１と係合されることにより、カム枠５０が固定枠３０に対して回転できる。また、固定枠３０には、開口部３４が設けられている。固定枠３０は、外側に駆動機構７０を保持している。カム枠５０は、駆動機構７０により回転駆動される。
【００１４】
駆動機構７０は、モータと連結された連結ギア７１と、２つの駆動ギア７２と、を有している。２つの駆動ギア７２は、開口部３４を介して、固定枠３０の内部のカム枠５０と係合される。２つの駆動ギア７２は、さらに外側に設けられた連結ギア７１とそれぞれ係合されている。連結ギア７１は、モータにより回転駆動される。２つの駆動ギア７２のそれぞれと噛み合っているため、３つギアが連動して回転する様になっている。これにより、カム枠５０が回転駆動される。
【００１５】
直進枠４０は、固定枠３０内に光軸方向へ直進自在に保持されている。直進枠４０は、直進枠４０に対して光軸方向に直進自在、かつ、固定枠３０に対して相対回転しないように、１群枠１０を保持されている。直進枠４０は、カム枠５０の外周とバヨネット結合され、カム枠５０を回転可能に保持している。直進枠４０は、そのため、直進枠４０は、カム枠５０と一体となって光軸方向へ進退する。つまり、直進枠４０は、カム枠５０に対し相対回転は自在で、かつ、カム枠５０に対して光軸方向には進退しないように固定枠３０に保持されている。
【００１６】
カム枠５０の外周面には３つのカム５３が形成されている。カム５３は、１群枠の内周面に設けられた３つのカムフォロワと係合している。カム枠５０の外側には、２つの駆動ギア７２と噛み合う被駆動ギア部５２が設けられている。カム枠５０は、駆動ギア７２の回転により、回転駆動される。カム枠５０が回転駆動されると、カム枠５０をカム機構により保持されている１群枠１０が光軸方向に直進駆動される。さらに、カム枠５０の外周面には、案内突起３１と係合される案内溝５１が設けられている。案内突起３１は、固定枠３０の内周面にらせん状に設けられているため、駆動ギア７２によりカム枠５０が回転駆動されると、カム枠５０が固定枠３０の案内突起３１に案内される。これにより、カム枠５０が回転しながら固定枠３０に対して光軸方向へ進退する。その際、１群枠１０は、直進枠４０に対して相対回転しないので、１群枠１０はカム枠５０に対し相対回転する状態となる。これにより、１群枠１０はカム５３に案内され光軸方向に進退する。２群枠２０も、１群枠１０と同様の機構により光軸方向に進退する。
【００１７】
このように１群枠１０、２群枠２０、固定枠３０、直進枠４０、カム枠５０、及びマスターフランジ６０が組み付けられることにより、１群枠１０レンズ鏡筒１００の光学系が構成される。
【００１８】
マスターフランジ６０には、撮像素子が固定されている。マスターフランジ６０は、固定枠３０を固定する。これにより、１群枠１０レンズ鏡筒１００の光学系を通過した光が、撮像素子上に結像される。
【００１９】
ここで、固定枠３０に設けられた案内突起３１と、カム枠５０に設けられたカム５３とがカム枠５０の回転角度に対し適切な位置に設計される。そのためカム枠５０の回転角度に対して、１群枠１０に固定されたレンズが所定の位置に配置される。これにより、１群枠１０レンズ鏡筒１００は、光学系の焦点距離を変更したり、撮影状態に無いときに光学系を収納したりできる。
【００２０】
［２．固定枠とカム枠との係合関係］
次に、固定枠３０とカム枠５０との係合関係について詳しく説明する。
【００２１】
図２は、実施の形態１にかかる固定枠３０の内周面の展開図である。図２において、ハッチングされた領域は、他の領域よりも内径方向に突出している事を示している。図２に示すように、固定枠３０の内周面には、複数の案内突起３１が設けられている。複数の案内突起３１は、内径方向に突出している。このように、固定枠３０の内周面には、らせん状の案内突起３１が複数形成されている。また、固定枠３０は、径方向に貫通した開口部３４を有している。図１に示すように、固定枠３０は、開口部３４の外側に駆動ギア７２および連結ギア７１が配置されている。
【００２２】
図３は、実施の形態１にかかるカム枠５０の外周面の展開図である。図３において、ハッチングされた領域は、他の領域よりも外径方向に突出している事を示している。図３に示すように、カム枠５０の外周面には、被駆動ギア部５２が設けられている。被駆動ギア部５２は、外径方向に突出しており、駆動ギア７２と噛み合わされる。また、カム枠５０の外周部には、複数の案内溝５１がらせん状に設けられている。複数の案内溝５１は、複数の案内突起３１と係合される。
【００２３】
複数の案内溝５１の少なくとも１つは、被駆動ギア部５２に重なって配置されている。そのため、被駆動ギア部５２において案内溝５１が設けられた部分は、歯が欠けた欠歯部５２ａとなっている。
【００２４】
固定枠３０の内周側にカム枠５０が挿入された状態で、固定枠３０に対しカム枠５０を回転させると、固定枠３０の案内突起３１とカム枠５０の案内溝５１とが係合し、カム枠５０が光軸方向に案内される。実施の形態１では、駆動ギア７２と被駆動ギア部５２とが噛み合うことによって、カム枠５０が回転駆動されるが、駆動ギア７２が欠歯部５２ａと重なる場合、駆動ギア７２と被駆動ギア部５２は噛み合わず、駆動ギア７２が空回りする。
【００２５】
これを回避する方法としては、被駆動ギア部５２の光軸方向の長さＴを長くする方法が用いられる。しかし、被駆動ギア部５２の光軸方向の長さＴを長くすると、被駆動ギア部５２に欠歯部５２ａはあっても、案内溝５１は光軸方向に対し傾斜しているので、光軸方向における領域内のいずれかの箇所で駆動ギア７２と被駆動ギア部５２が噛み合う様になる。
【００２６】
しかしながら被駆動ギア部５２の光軸方向の長さＴを長くすると、固定枠３０内で、カム枠５０が進退できるストロークも減少してしまう。
【００２７】
そこで実施の形態１では、駆動ギア７２を２個設け、使用状態において常に、２個の駆動ギア７２のうち少なくとも１つが、被駆動ギア部５２と噛み合うようにしている。図４は、実施の形態１にかかるカム枠と駆動ギアの係合関係を示す図である。図４示すように、実施の形態１にかかる駆動ギア７２は、第１駆動ギア７２ａと第２駆動ギア７２ｂとを有する。第１駆動ギア７２ａと第２駆動ギア７２ｂとは、それぞれ被駆動ギア部５２と噛み合う。また、第１駆動ギア７２ａと第２駆動ギア７２ｂとは、それぞれ連結ギア７１と噛み合う。
【００２８】
このようにすることで、被駆動ギア部５２の光軸方向の長さＴを短くしても、問題なく駆動することが出来るので、固定枠３０の光軸方向の長さが等しい場合、よりストロークを大きくすることができる。
【００２９】
以上の構成によれば、カム枠５０に設けられた被駆動ギア部５２と案内溝５１とを重ねて配置したレンズ鏡筒１００において、光軸方向の大きさを小さくすることができる。
【００３０】
一方、必要なストロークを確保できる範囲で、固定枠３０の光軸方向の長さを短くすれば、鏡筒を収納した状態の１群枠１０レンズ鏡筒１００の光軸方向の長さを小さくすることが出来る。
【００３１】
実施の形態１では、駆動ギア７２が２つである構成を示したが、３つ以上ある構成も可能である。また、実施の形態１では、同じ駆動ギア７２が２つ並んでいる構成を示しているが、第１駆動ギア７２ａと第２駆動ギア７２ｂとの光軸方向の長さ、外径または歯数を変える構成も可能であり、設計に応じて適切に選定すれば良い。
【００３２】
［３．１群枠とカム枠との係合関係］
次に、実施の形態１にかかる１群枠１０とカム枠５０との係合関係について詳しく説明する。図５は、実施の形態１にかかるカム５３とカムフォロワ１１を示す図である。図５（ａ−１）は、カム枠５０の外周面の展開図、図５（ａ−２）は、（ａ−１）におけるＡ−Ａ断面図である（以下、図７、図９、図１０及び図１１において同じ）。図５（ｂ−１）は、１群枠１０の内周面の展開図、図５（ｂ−２）は、（ｂ−１）におけるＢ−Ｂ断面図である（以下、図７、図９、図１０及び図１１において同じ）。図６は、実施の形態１にかかるカム５３とカムフォロワ１１との係合関係を示す図である。図６（ａ）は、通常時のカム５３とカムフォロワ１１との係合状態を示す断面図、図６（ｂ）は、外力Ｆが加わった時のカム５３とカムフォロワ１１との係合状態を示す断面図である（以下、図８において同じ）。
【００３３】
図５（ａ−１）、図５（ａ−２）に示すとおり、実施の形態１にかかるカム枠５０は、カムフォロワ１１と係合されるカム５３を有する。カム５３は、溝の深さが浅く、溝の幅が広い第１カム５３ａと、溝の深さが深く、溝の幅が狭い第２カム５３ｂと、を有する。第２カム５３ｂは、第１カム５３ａと重なるように設けられている。第２カム５３ｂの中心線ＢＸは、第１カム５３ａの中心線ＡＸより像面側に設けられている。つまり、第２カム５３ｂの曲率中心は、第１カム５３ａの曲率中心より像面側に設けられている。また光軸方向の断面における第１カム５３ａの対向する側面間の角度αは、光軸方向の断面における第２カム５３ｂの対向する側面間の角度βよりも小さい。
【００３４】
図５（ｂ−１）、図５（ｂ−２）において、実施の形態１の１群枠１０のカムフォロワ１１は、１群枠１０の内径から半径方向に突出した第１カムフォロワ１１ａと、前記第１カムフォロワ１１ａから、さらに前記１群枠の半径方向に突出した第２カムフォロワ１１ｂと、を有する。第１カムフォロワ１１ａは、円柱形状をしている。第２カムフォロワ１１ｂは、円錐台形状をしている。第２カムフォロワ１１ｂの直径は、第１カムフォロワ１１ａの直径より小さい。第１カムフォロワ１１ａの高さと第２カムフォロワ１１ｂの高さとは、同一に形成されている。第１カムフォロワ１１ａと第２カムフォロワ１１ｂとの最も像面側の側面は、ほぼ同一面となっている。
【００３５】
図５（ａ−１）、図５（ａ−２）に示すように、第２カム５３ｂは、カム枠５０の光軸方向における領域内に形成されている。つまり、第２カム５３ｂは、カム枠５０の内周面において、対向する側面を有する領域の長さが長い。一方、第１カム５３ａは、最も被写体側のカム５３の一部がカム枠５０の光軸方向における領域からはみ出している。つまり、第２カム５３ｂは、カム枠５０の内周面において、対向する側面を有する領域の長さが第１カム５３ａより短い。そのため、カム枠５０の光軸方向の長さが同じ場合、第２カム５３ｂの方がストロークを大きく取れる。
【００３６】
よって、実施の形態１では、第２カム５３ｂおよび、直径の小さい第２カムフォロワ１１ｂによりストロークを確保している。一方、カム５３のストロークを同一に設計した場合、実施の形態１では、カム枠５０の光軸方向の長さを短くできるため。１群枠１０レンズ鏡筒１００を収納した状態での光軸方向の長さを小さくすることができる。
【００３７】
しかしながら、カム５３の幅を狭くすると、必然的に対応するカムフォロワ１１の直径も小さくなり、外力が加わった場合、カムフォロワ１１が破壊し易くなる。
【００３８】
そこで、実施の形態１では、直径の大きい第１カムフォロワ１１ａと、直径の小さい第２カムフォロワ１１ｂとが重ねられて、カムフォロワ１１が構成されている。これにより、第１カムフォロワ１１ａで外力が加わった場合の力を受け止めることができるため、カムフォロワ１１が破壊されることを抑制できる。
【００３９】
さらに、図６（ａ）及び（ｂ）に示すように、実施の形態１にかかる１群枠１０レンズ鏡筒１００は、大きな外力Ｆが加わった場合でも、第１カムフォロワ１１ａが第１カム５３ａから半径方向にずれ、脱落することを抑制できる。図６（ｂ）に示すように、大きな力が加わった場合には、１群枠１０が半径方向にずれ、カム枠５０から脱落しかかる。しかし１群枠１０レンズ鏡筒１００は、第２カムフォロワ１１ｂが、第１カム５３ａに引っ掛かる為、大きな外力Ｆでもカムフォロワ１１がカム５３から脱落し難い構成となっている。
【００４０】
以上により、実施の形態１にかかるレンズ鏡筒１００は、光軸方向の長さが大きくせずに外力に対する強度を向上させることができる。
【００４１】
図６（ａ−１）（ａ−２）に示すように、光軸方向の断面における第１カムフォロワ１１ａの対向する側面間の角度αは、光軸方向の断面における第２カムフォロワ１１ｂの対向する側面間の角度βよりも小さい。つまり、第２カムフォロワ１１ｂの側面は、第１カムフォロワ１１ａの側面よりも傾斜している。また、第１カム５３ａと第１カムフォロワ１１ａとの間には僅かな隙間Ｗが設けられている。通常の使用状態では、第１カム５３ａと第１カムフォロワ１１ａは摺動せず、第２カム５３ｂと、第２カムフォロワ１１ｂが摺動している。
【００４２】
一方、１群枠１０に外力Ｆが加わった場合、第２カムフォロワ１１ｂは、第２カム５３ｂの傾斜した側面を滑り、第１カムフォロワ１１ａが第１カム５３ａに接触する。これにより、カムフォロワ１１がカム５３から外れたり、カムフォロワ１１が破損することを抑制できる。また、通常使用時、第１カムフォロワ１１ａは、第１カム５３ａと摺動しない。そのため、カムフォロワ１１が被写体側と像面側との間で移動した場合には、第１カム５３ａと第１カムフォロワ１１ａとが引っ掛かることを抑制することができる。また、カムフォロワ１１が最も被写体側に移動した場合には、第１カム５３ａの被写体側の側面が無くなる。そのため、カム５３とカムフォロワ１１とがガタつくことを抑制できる。
【００４３】
なお、隙間Ｗは通常使用状態においては第１カムフォロワ１１ａが第１カム５３ａに接触しない最小限の寸法例えば０．０１〜０．０５ｍｍ程度にするのが望ましい。隙間Ｗを最小限にすることにより、外力Ｆが加わった場合に第２カムフォロワ１１ｂにかかる加重を軽減し、第２カムフォロワ１１ｂが断裂したり、変形したりし難くなる。
【００４４】
以下、ここに開示された技術の効果について、図７及び図８を用いて説明する。図７は、比較例にかかるカム５３とカムフォロワ１１を示す図である。図７（ａ−１）は、カム枠５０の外周面の展開図、図７（ａ−２）は、（ａ−１）におけるＡ−Ａ断面図である。図７（ｂ−１）は、１群枠１０の内周面の展開図、図７（ｂ−２）は、（ｂ−１）におけるＢ−Ｂ断面図である。図８は、比較例にかかるカム５３とカムフォロワ１１との係合関係を示す図である。図８（ａ）は、通常時のカム５３とカムフォロワ１１との係合状態を示す断面図、図８（ｂ）は、外力Ｆが加わった時のカム５３とカムフォロワ１１との係合状態を示す断面図である。
【００４５】
図７（ａ）において、比較例のカム５３は、実施の形態１にかかる第１カム５３ａと第２カム５３ｂとの形状は同じであるが、配置関係が異なる。実施の形態１では、第２カム５３ｂの中心線ＢＸは、第１カム５３ａの中心線ＡＸより像面側に設けられているのに対し、比較例は第１カム５３ａと、第２カム５３ｂの中心線は同じである。
【００４６】
図７（ｂ）において、比較例の１群枠１０のカムフォロワ１１は、第１カムフォロワ１１ａと第２カムフォロワ１１ｂとの形状は同じであるが、配置関係が異なる。第１カムフォロワ１１ａの中心と第２カムフォロワ１１ｂの中心とは、同軸に形成されている。そのため、第１カムフォロワ１１ａと第２カムフォロワ１１ｂとの最も像面側の輪郭には寸法Ｂ分の段差がある。
【００４７】
図５と図７を比較して分かるように、比較例の１群枠１０は、実施の形態１の１群枠１０と比較して寸法Ｌ分だけ光軸方向に長くなる。１群枠１０が長いと、１群枠１０の長さを他の部分で吸収する必要があり、レンズ鏡筒１００を収納した状態の光軸方向寸法も長くなる。よって、実施の形態１では、１群枠１０の光軸方向の長さが、比較例にかかる１群枠１０の光軸方向の長さと比べて短くすることができる。
【００４８】
また、レンズ鏡筒１００には、一般的に最も被写体側に位置する１群枠１０を像面側に押し込む方向に大きな外力Ｆが加わるが場合が多い。例えば、１群枠１０レンズ鏡筒１００を搭載したカメラが撮影時に落とされたときである。
【００４９】
ここで、図８（ａ）及び（ｂ）を用いて、比較例の構成において、１群枠１０に大きな外力Ｆが加わった場合について考察する。第１カムフォロワ１１ａは、外力Ｆを受けると第１カム５３ａから半径方向にずれ、第１カム５３ａから脱落しかかる。この状態で更に大きな外力Ｆが加わると、カムフォロワ１１がカム５３から脱落してしまう。
【００５０】
一方、上述のように、実施の形態１の１群枠１０レンズ鏡筒１００は、比較例と同じ大きさの外力Ｆが加わったとしても、比較例と比べて、カムフォロワ１１がカム５３から脱落し難い構成となっている。第１カムフォロワ１１ａが第１カム５３ａから半径方向にずれ、脱落しかかっても、第２カムフォロワ１１ｂが、第１カム５３ａに引っ掛かるためである。
【００５１】
大きな外力Ｆに対してカムフォロワ１１が脱落し難い効果を最大限に発揮する為には、第２カムフォロワ１１ｂが第１カムフォロワ１１ａの最も像面側の位置に設置されていることが望ましい。つまり、第２カムフォロワ１１ｂと、第１カムフォロワ１１ａの最も像面側の光軸方向高さは、同一高さに設けるのが良い。
【００５２】
以上の構成により、実施の形態１にかかるレンズ鏡筒１００は、光軸方向の長さを短くしながら、外力に対する強度も向上できる。
【００５３】
（他の実施の形態）
以下、ここに開示された技術にかかる他の実施形態について、説明する。
【００５４】
［１．他の実施の形態のレンズ鏡筒の構成］
他の実施の形態にかかるレンズ鏡筒１００の構成は、カムフォロワ１１とカム５３の構成以外は、実施の形態１にかかるレンズ鏡筒１００の構成と同じなのでここでは省略して説明する。なお、実施の形態１にかかるレンズ鏡筒１００の構成は、一例に過ぎないため、もちろん他の構成にしてもよい。
【００５５】
［２．実施の形態２］
図９は、実施の形態２にかかるカム５３とカムフォロワ１１を示す図である。
【００５６】
図９に示すように、実施の形態２にかかる第１カムフォロワ１１ａは、円錐台形状である。第２カムフォロワ１１ｂは、円弧を光軸方向に折り返して重ねた形状をしており、第２カムフォロワ１１ｂの像面側斜面は、第１カムフォロワ１１ａの斜面と連続した面になっている。
【００５７】
第２カム５３ｂの中心線ＢＸは、第１カム５３ａの中心線ＡＸより像面側に設けられていることは、実施の形態１と同様である。
【００５８】
実施の形態２のカムフォロワ１１は、形状が実施の形態１のカムフォロワ１１の形状と若干異なるものの、同様の効果を有する。
【００５９】
なお、実施の形態１及び２では、２種類のカムフォロワ１１の形状について説明したが、図示はしないが、その他の形状も可能であり、設計に応じて適切な形状を選定すれば良い。
【００６０】
以上の構成により、実施の形態２にかかるレンズ鏡筒１００は、光軸方向の長さを短くしながら、外力に対する強度も向上できる。
【００６１】
［３．実施の形態３］
図１０は、実施の形態３にかかるカム５３とカムフォロワ１１を示す図である。
【００６２】
図１０に示すように、実施の形態３のカム枠の第２カム５３ｂの形状は、実施の形態１にかかる第２カム５３ｂと同一である。しかし、実施の形態３にかかるカム５３は、外力Ｆを受けた時にカムフォロワ１１と接触する第１カム５３ａと、少なくとも第１カム５３ａの被写体側に設けられた薄肉部５４とを有する。薄肉部５４は、被写体側の側面（カム面）が無く像面側にのみ側面（カム面）を有している。第１カム５３ａの像面側の側面の形状は、実施の形態１と同一である。
【００６３】
この構成により、カム枠５０の第１カム５３ａより被写体側は薄肉部５４、カム枠５０の第１カム５３ａより像面側は厚肉部５５となっている。つまり、実施の形態３にかかるカム５３は、他の領域より厚みの薄い薄肉部５４と、薄肉部５４の像面側に設けられ薄肉部５４より厚みの薄い第２カム５３ｂと、を有する。
【００６４】
図１０において、実施の形態３にかかるカムフォロワ１１は、第２カムフォロワ１１ｂの形状が実施の形態１にかかる第２カムフォロワ１１ｂの形状と同一である。しかし、実施の形態３にかかるカムフォロワ１１は、第１カム５３ａと接触する第１カムフォロワ１１ａと、第２カム５３ｂに対向する領域より被写体側に設けられた補強部１２と、を有する。第２カムフォロワ１１ｂは、第１カムフォロワ１１ａから半径方向に突出し第２カム５３ｂと係合される。
【００６５】
この構成により、実施の形態３では、実施の形態１と比較して１群枠１０の強度が向上する。１群枠１０の強度が向上すると、１群枠１０が変形し難くなるので、同一の外力Ｆが加わった場合でも、実施の形態３にかかるカムフォロワ１１の方が実施の形態１にかかるカムフォロワ１１よりも、カム５３から脱落し難くなる。
【００６６】
以上の構成により、実施の形態３にかかるレンズ鏡筒１００は、光軸方向の長さを短くしながら、外力に対する強度も向上できる。
【００６７】
［４．実施の形態４］
図１１は、実施の形態４にかかるカム５３とカムフォロワ１１を示す図である。
【００６８】
図１１に示すよう、実施の形態４のカム５３は、第２カム５３ｂの形状は、実施の形態１および実施の形態３と同一である。実施の形態４のカム５３は、外力Ｆを受けた時にカムフォロワ１１と接触する第１カム５３ａと、少なくとも第１カム５３ａの被写体側に設けられた薄肉部５４とを有する点では、実施の形態３と同様である。
【００６９】
しかし、実施の形態４のカムフォロワ１１は、第１カムフォロワ１１ａと、第２カムフォロワ１１ｂの外径が同じである点が、実施の形態３のカムフォロワ１１とは異なる。
【００７０】
実施の形態４のカムフォロワ１１は、実施の形態３のカムフォロワ１１と比較して第２カムフォロワ１１ｂ周辺の補強部１２が小さくなる。そのため、実施の形態４の１群枠１０は、実施の形態１の１群枠１０と比較して強度が向上している。また実施の形態４のカム枠５０は、第１カム５３ａのカム面と第２カム５３ｂのカム面との間に段差が無い形状にできる為、加工が容易である。
【００７１】
以上の構成により、実施の形態４にかかるレンズ鏡筒１００は、光軸方向の長さを短くしながら、外力に対する強度も向上できる。
【００７２】
（まとめ）
［１．第１の構成］
レンズ鏡筒１００は、略円筒状の固定枠３０と、固定枠３０の内周に配置された略円筒状のカム枠５０（移動枠の一例）と、固定枠３０に対してカム枠５０を回転駆動させる駆動機構７０と、を備える。固定枠３０は、内周面にカム枠５０の回転に従い、カム枠５０を回転軸方向に案内する、複数の案内突起３１を有する。駆動機構７０は、複数の駆動ギア７２を有する。カム枠５０は、外周に、複数の駆動ギア７２と噛み合う被駆動ギア部５２と、案内突起３１とは噛み合うが複数の駆動ギア７２とは噛み合わない案内溝５１と、を有する。被駆動ギア部５２は、案内溝５１が設けられた欠歯部５２ａを含む。使用状態において、複数の駆動ギア７２の内少なくとも１つの駆動ギア７２は、被駆動ギア部５２と噛み合うように構成されている。
【００７３】
この構成により、カム枠５０に設けられた被駆動ギア部５２と案内溝５１とを重ねて配置したレンズ鏡筒１００において、光軸方向の大きさを小さくすることができる。
【産業上の利用可能性】
【００７４】
ここに開示された技術は、カメラ機能を有する装置、例えば、カメラ、カメラ付き携帯電話、カメラ付きポータブル端末等に適用できる。
【符号の説明】
【００７５】
１０    １群枠
１１    カムフォロワ
１１ａ    第１カムフォロワ
１１ｂ    第２カムフォロワ
１２    補強部
２０    ２群枠
３０    固定枠
３１    案内突起
３４    開口部
４０    直進枠
５０    カム枠
５１    案内溝
５２    被駆動ギア部
５２ａ    欠歯部
５３    カム
５３ａ    第１カム
５３ｂ    第２カム
５４    薄肉部
５５    厚肉部
６０    マスターフランジ
７０    駆動機構
７２    駆動ギア
７２ａ    第１駆動ギア
７２ｂ    第２駆動ギア
７１    連結ギア
１００    レンズ鏡筒
【図１】
2015018004.tif 000003
【図２】
2015018004.tif 000004
【図３】
2015018004.tif 000005
【図４】
2015018004.tif 000006
【図５】
2015018004.tif 000007
【図６】
2015018004.tif 000008
【図７】
2015018004.tif 000009
【図８】
2015018004.tif 000010
【図９】
2015018004.tif 000011
【図１０】
2015018004.tif 000012
【図１１】
2015018004.tif 000013